(57)【特許請求の範囲】
【請求項１】
両側に立設した支柱やフレームの縦枠に鉱物質パネルを支持するために、該鉱物質パネルの背面の上下部に沿ってそれぞれ横長の上連結金具と下連結金具を取付けてなる鉱物質パネルにおける連結金具の取付構造であって、前記鉱物質パネルの背面の上下部に沿ってそれぞれ２条の平行な溝を穿設し、縁部側の溝は深部が縁部に接近するように傾斜した傾斜溝であり、中央部側の溝は背面に直角な垂直溝であり、前記上連結金具と下連結金具は前記鉱物質パネルの背面に接合する基板を有し、該基板の縁部側に前記傾斜溝に係合する傾斜片を突設するとともに、前記基板の中央部側の端部を余して前記垂直溝に係合する垂直片を突設し、前記傾斜片と垂直片の間の基板に設けた第１接合部に塗布した接着剤で前記鉱物質パネルの背面に接着することを特徴とする鉱物質パネルにおける連結金具の取付構造。
【請求項２】
前記鉱物質パネルの背面の上下部にそれぞれ形成した前記傾斜片と垂直片の対は、上下で対称である請求項１記載の鉱物質パネルにおける連結金具の取付構造。
【請求項３】
前記上連結金具と下連結金具は、前記第１接合部による接着に加えて、前記垂直片よりも中央部側の基板の端部に設けた第２接合部に貼着した両面粘着テープで前記鉱物質パネルの背面に粘着する請求項１又は２記載の鉱物質パネルにおける連結金具の取付構造。
【請求項４】
前記基板の第１接合部は、表面を粗面化処理してなるものである請求項１〜３何れか１項に記載の鉱物質パネルにおける連結金具の取付構造。
【請求項５】
前記上連結金具には、前記支柱又は縦枠に取付けるために、前記基板の上端に連続し、前記鉱物質パネルの上端よりも上方に突出した取付片を有するとともに、該取付片の上方に受片を形成したものであり、前記下連結金具は、前記基板の背面下部に前記上連結金具の受片に係止する係止部を突設したものである請求項１〜４何れか１項に記載の鉱物質パネルにおける連結金具の取付構造。
【発明の詳細な説明】
【技術分野】
【０００１】
本発明は、鉱物質パネルにおける連結金具の取付構造に係わり、更に詳しくは両側に立設した支柱やフレームの縦枠に鉱物質パネルを支持するための連結金具を該鉱物質パネルに取付ける構造に関するものである。
【背景技術】
【０００２】
従来から、天然石板を用いた石パネル、人工大理石、タイルやセラミックスパネル（これらを以下「鉱物質パネル」と称する）を支柱やフレームに取付けて間仕切パネルを構成することは公知である。
【０００３】
例えば、特許文献１には、石板の背面に形成した複数の挿入溝に、連結金具の挿入板部を挿入して、背面に連結金具を取付け、該連結金具を連結アングルにネジで取付ける構造が開示されている。具体的には、前記石板の背面に一対の挿入溝を奥部になるにつれて接近するように傾斜させて形成し、連結金具を二つの連結部材で構成し、それぞれの連結部材の挿入板部を挿入溝に挿入した後、両連結部材をボルト、ナットで接近する方向に締め付けて、両挿入板部で両挿入溝間の石板部分を挟み付けて保持する構造である。
【０００４】
また、特許文献２には、石材タイルの背面に面ファスナーを貼設し、面ファスナーを壁、パネル等の施工部に貼設したファスナーシートに係着する構造が開示されている。
【０００５】
一方、特許文献３には、鉱物質パネル上端の前縁に第１係止縁を上方へ突設するとともに、後縁に該第１係止縁よりも上方へ延びた固定片を突設し、前記鉱物質パネル上端と第１係止縁及び固定片とで上方へ開口した凹溝を形成し、鉱物質パネル下端の後縁部に前記固定片の前面側で前記凹溝内に係合し得る形状の脚片を下方へ突設し、前記フレームの両縦杆の前面側に分割パネルを沿わせて前記固定片を前方から前記縦杆にネジ止めし、下段の分割パネルの凹溝内に、第１係止縁の上方に空間部を残して上段の分割パネルの脚片下端部を上方から嵌合して保持する構造が開示されている。
【０００６】
しかし、特許文献１に記載のものは、石板の少なくとも４箇所に傾斜方向が異なる一対の挿入溝を穿設する必要があり、またそれぞれに二つの連結部材からなる連結金具をボルト、ナットの締め付け具合を調節しながら取付ける必要があり、作業工程が多く、コスト高となる傾向がある。また、特許文献２に記載の面ファスナーを用いる取付構造は、取付強度に問題があり、支柱にブロックパネルを取付けるような一般的な間仕切パネルには適用することが困難である。
【先行技術文献】
【特許文献】
【０００７】
【特許文献１】実公平０４−０４２４１６号公報
【特許文献２】実開平０６−００８５７６号公報
【特許文献３】特開２００９−１０２８５０号公報
【発明の概要】
【発明が解決しようとする課題】
【０００８】
そこで、本発明が前述の状況に鑑み、解決しようとするところは、石パネル、人工大理石、タイルやセラミックスパネル等の鉱物質パネルの背面に、支柱やフレームの縦枠に該鉱物質パネルを支持するための連結金具を、簡単且つ強固に取付けることができる鉱物質パネルにおける連結金具の取付構造を提供する点にある。
【課題を解決するための手段】
【０００９】
本発明は、前述の課題解決のために、両側に立設した支柱やフレームの縦枠に鉱物質パネルを支持するために、該鉱物質パネルの背面の上下部に沿ってそれぞれ横長の上連結金具と下連結金具を取付けてなる鉱物質パネルにおける連結金具の取付構造であって、前記鉱物質パネルの背面の上下部に沿ってそれぞれ２条の平行な溝を穿設し、縁部側の溝は深部が縁部に接近するように傾斜した傾斜溝であり、中央部側の溝は背面に直角な垂直溝であり、前記上連結金具と下連結金具は前記鉱物質パネルの背面に接合する基板を有し、該基板の縁部側に前記傾斜溝に係合する傾斜片を突設するとともに、前記基板の中央部側の端部を余して前記垂直溝に係合する垂直片を突設し、前記傾斜片と垂直片の間の基板に設けた第１接合部に塗布した接着剤で前記鉱物質パネルの背面に接着することを特徴とする鉱物質パネルにおける連結金具の取付構造を構成した（請求項１）。
【００１０】
ここで、前記鉱物質パネルの背面の上下部にそれぞれ形成した前記傾斜片と垂直片の対は、上下で対称であることが好ましい（請求項２）。
【００１１】
更に、前記上連結金具と下連結金具は、前記第１接合部による接着に加えて、前記垂直片よりも中央部側の基板の端部に設けた第２接合部に貼着した両面粘着テープで前記鉱物質パネルの背面に粘着することがより好ましい（請求項３）。
【００１２】
また、前記基板の第１接合部は、表面を粗面化処理してなるものであるとより好ましい（請求項４）。
【００１３】
そして、前記上連結金具には、前記支柱又は縦枠に取付けるために、前記基板の上端に連続し、前記鉱物質パネルの上端よりも上方に突出した取付片を有するとともに、該取付片の上方に受片を形成したものであり、前記下連結金具は、前記基板の背面下部に前記上連結金具の受片に係止する係止部を突設したものである（請求項５）。
【発明の効果】
【００１４】
以上にしてなる請求項１に係る発明の鉱物質パネルにおける連結金具の取付構造は、両側に立設した支柱やフレームの縦枠に鉱物質パネルを支持するために、該鉱物質パネルの背面の上下部に沿ってそれぞれ横長の上連結金具と下連結金具を取付けてなる鉱物質パネルにおける連結金具の取付構造であって、前記鉱物質パネルの背面の上下部に沿ってそれぞれ２条の平行な溝を穿設し、縁部側の溝は深部が縁部に接近するように傾斜した傾斜溝であり、中央部側の溝は背面に直角な垂直溝であり、前記上連結金具と下連結金具は前記鉱物質パネルの背面に接合する基板を有し、該基板の縁部側に前記傾斜溝に係合する傾斜片を突設するとともに、前記基板の中央部側の端部を余して前記垂直溝に係合する垂直片を突設し、前記傾斜片と垂直片の間の基板に設けた第１接合部に塗布した接着剤で前記鉱物質パネルの背面に接着するので、基板の上下に突設した傾斜片と垂直片を鉱物質パネルの背面の上下部に穿設した傾斜溝と垂直溝にそれぞれ係合するとともに、傾斜片と垂直片の間に設けた第１接合部に塗布した接着剤で鉱物質パネルの背面に接着するので、上連結金具と下連結金具の鉱物質パネルへの取付作業が極めて簡単であるにも係わらず、接着と機械的な係合とを併用するので取付強度が高く、また傾斜溝と垂直溝に傾斜片と垂直片を係合するので正確な位置に取付けることができる。特に、取付強度に対しては、傾斜溝と傾斜片の係合によって、鉱物質パネルから基板の引き剥がしに対して機械的な抵抗力を備え、また傾斜溝から傾斜片を抜くには、連結金具の基板を鉱物質パネルの背面に沿った方向に変位させる必要があるが、接着剤はもともと接着面に平行な方向に対する強度は高いので、基板を変位させることができず、従って強い取付強度が発現するのである。
【００１５】
請求項２によれば、前記鉱物質パネルの背面の上下部にそれぞれ形成した前記傾斜片と垂直片の対は、上下で対称であるので、前記鉱物質パネルを上下反転させても前記上連結金具と下連結金具を取付けることができ、あるいは前記上連結金具と下連結金具を前記鉱物質パネルの上下部のどちらにも取付けることができ、接着工程で付け間違えがない。
【００１６】
請求項３によれば、前記上連結金具と下連結金具は、前記第１接合部による接着に加えて、前記垂直片よりも中央部側の基板の端部に設けた第２接合部に貼着した両面粘着テープで前記鉱物質パネルの背面に粘着するので、接着剤が硬化するまでの間、両面粘着テープによって鉱物質パネルに連結金具の基板を粘着して互いの接合面の変位を規制しておくことにより、接着時間が長くても良好な接着状態を得ることができ、また接着剤が未硬化の状態でも鉱物質パネルを次の作業工程に移すことができ、作業効率が向上する。また、第１接合部による接着と、第２接合部による粘着との併用によって、鉱物質パネルのより広い面を用いて連結金具の基板を取付けることができ、また前記傾斜溝と傾斜片との係合箇所から最も離れた第２接合部で、鉱物質パネルと基板を両面粘着テープで粘着するので、傾斜片を中心とする基板の回転による引き剥がしに対して強い抵抗力を有している。
【００１７】
請求項４によれば、前記基板の第１接合部は、表面を粗面化処理してなるものであるので、接着剤による接着強度が格段に高くなる。
【００１８】
請求項５によれば、前記上連結金具には、前記支柱又は縦枠に取付けるために、前記基板の上端に連続し、前記鉱物質パネルの上端よりも上方に突出した取付片を有するとともに、該取付片の上方に受片を形成したものであり、前記下連結金具は、前記基板の背面下部に前記上連結金具の受片に係止する係止部を突設したものであるので、下部に取付けた鉱物質パネルの上連結金具の受片に、上部の鉱物質パネルの下連結金具の係止部を上方から落とし込んで係止するとともに、上連結金具の取付片を支柱又は縦枠に取付けることにより、複数の鉱物質パネルを順次上方へ取付けることができる。
【図面の簡単な説明】
【００１９】
【図１】本発明に係る鉱物質パネルにおける連結金具の取付構造を適用したブロックパネルを用いて施工した間仕切パネルの部分正面図である。
【図２】支柱にブロックパネルを取付ける構造を示す部分分解斜視図である。
【図３】同じく支柱にブロックパネルを取付ける構造を示す分解側面図である。
【図４】中段のブロックパネルを示し、（ａ）は部分背面図、（ｂ）は側面図である。
【図５】最下段のブロックパネルを示し、（ａ）は部分背面図、（ｂ）は側面図である。
【図６】最上段のブロックパネルを示し、（ａ）は部分背面図、（ｂ）は側面図である。
【図７】ブロックパネルを支柱の表裏両側に取付けて構成した間仕切パネルの縦断側面図である。
【図８】図１のＸ−Ｘ線断面図である。
【発明を実施するための形態】
【００２０】
次に、添付図面に示した実施形態に基づき、本発明を更に詳細に説明する。図１は本発明に係る鉱物質パネルにおける連結金具の取付構造を適用したブロックパネルを用いて施工した間仕切パネルを示し、図２〜図８はその要部を示し、図中符号１は地レール、２は天レール、３は支柱、４はブロックパネル、５は鉱物質パネル、６は上連結金具、７は下連結金具をそれぞれ示している。
【００２１】
本実施形態の間仕切パネルは、床面Ｆに固定した地レール１と天井Ｓに固定した天レール２との間に複数の支柱３，…を所定間隔毎に立設し、隣接する両支柱３，３の表面側にブロックパネル４の両端部を取付けるとともに、上下方向に複数のブロックパネル４，…を配置した構造である。前記ブロックパネル４は、鉱物質パネル５の背面の上部に沿って横長の上連結金具６を取付けるとともに、下部に沿って横長の下連結金具７を取付け、下部のブロックパネル４の上連結金具６を両支柱３，３の表面側にネジ８にて取付け、上部のブロックパネル４の下連結金具７を下部のブロックパネル４の上連結金具６に係止するとともに、上連結金具６を両支柱３，３の表面側にネジ８にて取付けるといった手順で順次上方へ取付ける。本実施形態では、中段のブロックパネル４と、最下段のブロックパネル４Ａと最上段のブロックパネル４Ｂとは、連結金具の構造が若干異なるが、発明の本質的な部分は共通である。
【００２２】
前記支柱３は、図２に示すように、アルミ押出し型材で作製したものであり、表裏両面のそれぞれに、両側部と中央部に上下に渡る前記支持溝９，９Ａを形成し、該支持溝９，９Ａは横幅に対する深さのアスペクト比を２以上に設定している。ここで、前記支柱３の表面の両側部に支持溝９，９を形成し、中央部に支持溝９Ａを形成している。これらの支持溝９，９Ａには十分な締付力でネジ８を螺入できるようになっている。ここで、前記ネジ８としてタッピンネジを用いることが好ましい。また、前記支柱３の表面側の一面のみに支持溝９，９のみを設けてもよい。
【００２３】
本発明は、石パネル、人工大理石、タイルやセラミックスパネル等からなる長方形状の鉱物質パネル５の背面の上下部に、上連結金具６と下連結金具７を簡単且つ強固に取付けることを特徴としている。前記上連結金具６及び下連結金具７は、アルミ押出し型材で作製したものであり、適宜な長さに切断するとともに、端部を所望形状に加工して用いることが好ましい。
【００２４】
更に詳しくは、前記鉱物質パネル５は、図２〜図４に示すように、背面１０の上下部に沿ってそれぞれ２条の平行な溝を穿設し、縁部側の溝は深部が縁部に接近するように傾斜した傾斜溝１１であり、中央部側の溝は背面に直角な垂直溝１２である。これらの傾斜溝１１と垂直溝１２は、鉱物質パネル５の横方向の全長に渡って形成すれば良い。上下部でそれぞれ対となった前記傾斜溝１１と垂直溝１２は、鉱物質パネル５の上下で対称となっており、該鉱物質パネル５を上下反転しても全く同じになる。
【００２５】
前記上連結金具６は、前記鉱物質パネル５の背面１０に接合する基板１３を有し、該基板１３の縁部側に上側の前記傾斜溝１１に係合する傾斜片１４（上向き傾斜）を突設するとともに、前記基板１３の中央部側の端部を余して前記垂直溝１２に係合する垂直片１５を突設し、前記傾斜片１４と垂直片１５の間の基板１３を第１接合部１６とし、前記垂直片１５よりも中央部側の基板１３の端部に第２接合部１７を設けている。そして、図３に示すように、前記上連結金具６の第１接合部１６に接着剤１８を塗布するとともに、第２接合部１７に両面粘着テープ１９を貼着した状態で、前記傾斜片１４を前記鉱物質パネル５の傾斜溝１１に係合に斜めから係合した後、背面１０に基板１３が接合するように回転させ、鉱物質パネル５と基板１３とを接着剤１８による接着と両面粘着テープ１９による粘着によって取付ける。
【００２６】
次に、前記下連結金具７を説明するが、基本構成は前記上連結金具６と同様であるので、同一構成には同一符号を付して説明する。つまり、前記下連結金具７は、前記鉱物質パネル５の背面１０に接合する基板１３を有し、該基板１３の縁部側に下側の前記傾斜溝１１に係合する傾斜片１４（下向き傾斜）を突設するとともに、前記基板１３の中央部側の端部を余して前記垂直溝１２に係合する垂直片１５を突設し、前記傾斜片１４と垂直片１５の間の基板１３を第１接合部１６とし、前記垂直片１５よりも中央部側の基板１３の端部に第２接合部１７を設けている。そして、図示しないが、前記下連結金具７の第１接合部１６に接着剤１８を塗布するとともに、第２接合部１７に両面粘着テープ１９を貼着した状態で、前記傾斜片１４を前記鉱物質パネル５の傾斜溝１１に係合に斜めから係合した後、背面１０に基板１３が接合するように回転させ、鉱物質パネル５と基板１３とを接着剤１８による接着と両面粘着テープ１９による粘着によって取付ける。
【００２７】
ここで、前記基板１３の第１接合部１６は、表面を粗面化処理してなることが接着強度が高くなるので好ましく、具体的には微細な凹凸パターンを長手方向に形成している。
前記鉱物質パネルの背面に接着する。一般的に、速乾性の接着剤は脆く、接着強度に劣るが、接着強度が強い接着剤は硬化時間が長い傾向がある。本実施形態では、硬化時間が長い接着剤を用いても、前記両面粘着テープ１９によって鉱物質パネル５と、上連結金具６及び下連結金具７の基板１３とを粘着するので、移動させたりしても、接着面がずれることがないので、接着不良が発生しない。つまり、本発明では、鉱物質パネル５に上連結金具６及び下連結金具７を接着した後、静置することなく次の作業工程に移ることができるので、製造における作業効率が大幅に向上する。
【００２８】
次に、前記ブロックパネル４を支柱３に取付けるとともに、上方へ順次積み上げ式に取付ける構造を説明する。そのため、前記上連結金具６には、前記基板１３の上端に連続し、前記鉱物質パネル５の上端よりも上方に突出した取付片２０を有するとともに、該取付片２０の上方に受片２１を形成している。前記取付片２０は、基板１３の上端に段折れ状に形成し、前記支柱３の表面に接合できるようになっており、また前記受片２１は前記取付片２０の上端から段折れ状に上方へ延設され、支柱３の表面と該受片２１との間に隙間が形成されるようになっている。そして、前記受片２１の背面側に沿ってブラシ状のシール材２２が添設されている。更に、前記取付片２０は、前記鉱物質パネル５の上方へ突出した部分を有し、この露出部の両側端部に前記ネジ８を挿通する横長孔２３を形成している。本実施形態では、前記横長孔２３は、それぞれの側部で左右に間隔を設けた対を上下に設け、合計４つ設けて、様々な取付態様に適用できるようにしている。上下に二対設けたのは、一つの横長孔２３を用いてネジ８の螺入に失敗した場合、あるいは一旦螺入したネジ８を外して再度螺入する場合に、同じ位置にネジ８を螺入すると強度が低下するのを避けるために、他の横長孔２３を用いて同じ支持溝９にネジ止めできるようにするためである。勿論、上下二箇所でネジ止めして取付強度を高める目的で使用する場合もある。また、本実施形態では、前記取付片２０の左右中央部にも単又は複数のネジ止めのための孔を形成している。
【００２９】
一方、前記下連結金具７は、前記基板１３の背面１０の下部に、前記上連結金具６の受片２１に係止する係止部２４を突設している。ここで、前記係止部２４は、背面側が前記支柱３の表面に接合するようになっており、図３に示すように、下部のブロックパネル４の上連結金具６の受片２１に落とし込み係合した状態で、前記シール材２２に接触し、ガタツキを防止するとともに、気密性と防音性が保たれるのである。
【００３０】
そして、前記鉱物質パネル５の周囲には、帯状のシール２５を貼着している。図示しないが、前記鉱物質パネル５の周縁に浅い溝を形成し、該溝内に乾式のシール２５の一部を埋め込んで貼着することが望ましい。
【００３１】
次に、最下段のブロックパネル４Ａと最上段のブロックパネル４Ｂを簡単に説明する。何れも鉱物質パネル５は共通のものを用いる。最下段のブロックパネル４Ａは、図５に示すように、鉱物質パネル５の背面１０の上部には前記上連結金具６を同様に取付け、下部には下連結金具２６の基板２７の上下部を両面粘着テープ２８，２８で鉱物質パネル５の背面１０に貼着している。そして、前記下連結金具２６の基板２７の上縁には下向き係止片２９を突設するとともに、基板２７の下縁には前記地レール１の側面に接触するシール材３０を全長に添設している。また、最下段のブロックパネル４Ａでは、前記シール２５を鉱物質パネル５の両側面と上面のみに添設している。このように、鉱物質パネル５の目地部が形成され縁部にシール２５を設けることにより、コーキングしなくても目地部を塞ぐことができる。あるいは、目地部に位置するシール２５の表側にコーキング剤を充填することにより、シール２５が裏打ち材の作用をする。
【００３２】
また、前記最上段のブロックパネル４Ｂは、図６に示すように、鉱物質パネル５の背面１０の下部には前記下連結金具７を同様に取付け、上部には上連結金具３１を前記同様に取付ける。つまり、前記上連結金具３１は、前記上連結金具６の基板１３と同じ構造を有し、該基板１３の上端から上方へ延長部３２を有し、前記鉱物質パネル５の上方へ突出した該延長部３２の上方に前記支柱３へ取付けるための取付片３３を段折れ状に形成し、該取付片３３を含む露出部をカバー部材３４で覆っている。前記上連結金具６と同一構成には同一符号を付してその説明は省略する。また、最上段のブロックパネル４Ｂでは、前記シール２５を鉱物質パネル５の両側面と下面のみに添設している。
【００３３】
そして、図１〜図３、図７及び図８に示すように、先ず前記支柱３の下部で前記地レール１より上方に前記支持溝９を利用して受け金具３５をネジ止めする。そして、最下段のブロックパネル４Ａの下部に設けた下連結金具２６の下向き係止片２９を、前記受け金具３５の上向き突片３６に係止するとともに、上部に設けた上連結金具６の取付片２０の両側部をネジ止めする。それから、ブロックパネル４の下連結金具７の係止部２４を支柱３の表面に当接させて下方へ滑らして最下段ブロックパネル４Ａの上連結金具６の受片２１に係止した後、ブロックパネル４の位置を微調節しながら上連結金具６を前記同様に支柱３にネジ止めするのである。同様に、下部ブロックパネル４の上連結金具６の受片２１に、上部ブロックパネル４の下連結金具７の係止部２４を係止するとともに、上部ブロックパネル４の上連結金具６の両端部を前述のように両側の支柱３，３にネジ止めする。このようにして、両側の支柱３，３の表裏両面に複数のブロックパネル４，…を上下に取付ける。最後に、最上段のブロックパネル４Ｂの下部に設けた下連結金具７の係止部２４を、下部のブロックパネル４に設けた上連結金具６の受片２１に係止した後、上連結金具３１の取付片３３の両側部を前記天レール２にネジ止めする。それから、前記取付片３３を含む露出部をカバー部材３４で被覆する。
【００３４】
前記ブロックパネル４の取付位置は、微調節することができる。その場合、前記ブロックパネル４では、前記支柱３の支持溝９と取付片２０の横長孔２３とが交差する位置にネジ８を螺入するので、調節範囲が広く、施工性に優れている。
【００３５】
前記支柱３を介して両側に複数のブロックパネル４，４Ａ，４Ｂ，…を取付けると、各鉱物質パネル５，５の間の目地部は、該鉱物質パネル５の周囲に添設したシール２５，２５が隙間を塞ぐように互いに接触する。
【００３６】
尚、隣接する支柱３，３の間隔が広く、前記ブロックパネル４が表裏に撓む恐れがある場合には、図１及び図５に示すように、両支柱３，３の中間に中間支柱３７を立設し、該中間支柱３７の表裏両面に、前記上連結金具６の取付片２０の左右中央部に設けた横長孔２３に挿通したタッピンネジ３８を螺合している。
【００３７】
本実施形態では、前記支柱３の表裏両面にブロックパネル４を取付ける構造のものを示したが、支柱３の表面側のみにブロックパネル４を取付けるようにしたものでも良い。
【符号の説明】
【００３８】
１  地レール、            ２  天レール、
３  支柱、                ４，４Ａ，４Ｂ  ブロックパネル、
５  鉱物質パネル、        ６  上連結金具、
７  下連結金具、          ８  ネジ、
９，９Ａ  支持溝、        １０  背面、
１１  傾斜溝、            １２  垂直溝、
１３  基板、              １４  傾斜片、
１５  垂直片、            １６  第１接合部、
１７  第２接合部、        １８  接着剤、
１９  両面粘着テープ、    ２０  取付片、
２１  受片、              ２２  シール材、
２３  横長孔、            ２４  係止部、
２５  シール、            ２６  下連結金具、
２７  基板、              ２８  両面粘着テープ、
２９  係止片、            ３０  シール材、
３１  上連結金具、        ３２  延長部、
３３  取付片、            ３４  カバー部材、
３５  受け金具、          ３６  突片、
３７  中間支柱、          ３８  タッピンネジ、
Ｆ  床面、                Ｓ  天井。
【図１】
0005755073.tif 000002
【図２】
0005755073.tif 000003
【図３】
0005755073.tif 000004
【図４】
0005755073.tif 000005
【図５】
0005755073.tif 000006
【図６】
0005755073.tif 000007
【図７】
0005755073.tif 000008
【図８】
0005755073.tif 000009